【手続補正書】
【提出日】平成17年8月30日(2005.8.30)
【手続補正１】
【補正対象書類名】明細書
【補正対象項目名】発明の名称
【補正方法】変更
【補正の内容】
【発明の名称】光記録方法
【手続補正２】
【補正対象書類名】明細書
【補正対象項目名】特許請求の範囲
【補正方法】変更
【補正の内容】
【特許請求の範囲】
【請求項１】  表面に案内溝を有する基板の表面上に、直接又は他の層を介して、熱分解温度が２００〜４００℃の色素材料からなる記録層を有し、記録層の上に直接又は他の層を介して反射層を有する光記録媒体に対し、前記基板の裏面側から記録光を照射することにより、記録層にマーク長変調した記録マークを形成する光記録方法であって、各マークと記録ＬＤパワーが下記の条件式を満足するようにして記録することを特徴とする光記録方法。
Ｐｓ≧Ｐｌ  かつ  （Ｐｓ／Ｐｌ）ｐ１≧（Ｐｓ／Ｐｌ）ｐ２
〔式中、Ｐｓは最短マークの単位時間（クロックＴ）当りの記録ＬＤパワー（ｍＷ／Ｔ）、Ｐｌは最長マークの単位時間（クロックＴ）当りの記録ＬＤパワー（ｍＷ／Ｔ）、（Ｐｓ／Ｐｌ）ｐ１、（Ｐｓ／Ｐｌ）ｐ２は単位時間（クロックＴ）当りの全マークの平均記録ＬＤパワーがｐ１、ｐ２（ｐ２＞ｐ１）であるときのＰｓとＰｌの比である。〕
【請求項２】  表面に案内溝を有する基板の表面上に、直接又は他の層を介して、熱分解温度が２００〜４００℃の色素材料からなる記録層を有し、記録層の上に直接又は他の層を介して反射層を有する光記録媒体に対し、前記基板の裏面側から記録光を照射することにより、記録層にマーク長変調した記録マークを形成する光記録方法であって、各マークと記録ＬＤパワーが下記の条件式を満足するようにして記録することを特徴とする光記録方法。
Ｌｓ≧Ｌｌ  かつ  （Ｌｓ／Ｌｌ）ｐ１≧（Ｌｓ／Ｌｌ）ｐ２
〔式中、Ｌｓは最短マークの最短信号クロック当りの記録ＬＤ発光時間（Ｔ）、Ｌｌは最長マークの最長信号クロック当りの記録ＬＤ発光時間（Ｔ）、（Ｌｓ／Ｌｌ）ｐ１、（Ｌｓ／Ｌｌ）ｐ２は単位時間（クロックＴ）当りの全マークの平均記録ＬＤパワーがｐ１、ｐ２（ｐ２＞ｐ１）であるときのＬｓとＬｌの比である。〕
【請求項３】  （Ｐｓ／Ｐｌ）ｐ２＞（Ｐｓ／Ｐｌ）ｐ１を満たす２種のＰｓ／Ｐｌ比率でテスト記録して、２種の最適記録平均ＬＤパワー、ｐｏｐｔｓ−ｐ１、ｐｏｐｔｓ−ｐ２を得た後、その中間値を設定し、該中間値以下のパワー範囲を（Ｐｓ／Ｐｌ）ｐ２条件、該中間値を越えるパワー範囲を（Ｐｓ／Ｐｌ）ｐ１条件で記録ＬＤ発光させることを特徴とする請求項１記載の光記録方法。
【請求項４】  （Ｌｓ／Ｌｌ）ｐ２＞（Ｌｓ／Ｌｌ）ｐ１を満たす２種のＬｓ／Ｌｌでテスト記録して、２種の最適記録平均ＬＤパワー、ｐｏｐｔｌ−ｐ１、ｐｏｐｔｌ−ｐ２を得た後、その中間値を設定し、該中間値以下のパワー範囲を（Ｌｓ／Ｌｌ）ｐ２条件、該中間値を越えるパワー範囲を（Ｌｓ／Ｌｌ）ｐ１条件で記録ＬＤ発光させることを特徴とする請求項２記載の光記録方法。
【請求項５】  異なる２種のＰｓ／Ｐｌの差が１〜５％の範囲内であることを特徴とする請求項１又は３記載の光記録方法。
【請求項６】  異なる２種のＬｓ／Ｌｌの差が１〜５％の範囲内であることを特徴とする請求項２又は４記載の光記録方法。
【請求項７】  色素材料が、シアニン化合物、アゾ化合物、テトラアザポルフィラジン化合物、フタロシアニン化合物から選ばれる少なくとも１種を含有することを特徴とする請求項１〜６の何れかに記載の光記録方法。
【手続補正３】
【補正対象書類名】明細書
【補正対象項目名】０００５
【補正方法】変更
【補正の内容】
【０００５】
【発明が解決しようとする課題】
本発明は高速度記録に優れた光記録媒体の記録方法の提供を目的とする。
【手続補正４】
【補正対象書類名】明細書
【補正対象項目名】０００６
【補正方法】変更
【補正の内容】
【０００６】
【課題を解決するための手段】
高速度で記録した場合に記録パワーに対するマージンが狭くなるのは、以下のような理由によるものと推測される。即ち、高速度で記録した場合は低速度で記録した場合に比べて、光吸収層に形成される記録ピットの形成速度が速く、記録ピットの前後及び隣接トラックなどの熱干渉が大きくなり、記録ピットが所望の長さからずれるために信号ジッタが大きくなると考えられる。この場合、記録パワーが大きいほど熱干渉の影響が大きく、また、周波数の高い最短マーク長ピットを連続記録する場合に影響が大きい。よって、記録層の熱分解特性及び記録ＬＤ発光パルスパターンを高速記録条件に適した特性に調整する必要があった。
これに対し、本発明では、特定の熱分解特性を有する記録材料と記録パルスパターンの組み合わせにより、上記課題を解決した。
即ち、上記課題は、次の１）〜７）の発明（以下、本発明１〜７という）によって解決される。
１）  表面に案内溝を有する基板の表面上に、直接又は他の層を介して、熱分解温度が２００〜４００℃の色素材料からなる記録層を有し、記録層の上に直接又は他の層を介して反射層を有する光記録媒体に対し、前記基板の裏面側から記録光を照射することにより、記録層にマーク長変調した記録マークを形成する光記録方法であって、各マークと記録ＬＤパワーが下記の条件式を満足するようにして記録することを特徴とする光記録方法。
Ｐｓ≧Ｐｌ  かつ  （Ｐｓ／Ｐｌ）ｐ１≧（Ｐｓ／Ｐｌ）ｐ２
〔式中、Ｐｓは最短マークの単位時間（クロックＴ）当りの記録ＬＤパワー（ｍＷ／Ｔ）、Ｐｌは最長マークの単位時間（クロックＴ）当りの記録ＬＤパワー（ｍＷ／Ｔ）、（Ｐｓ／Ｐｌ）ｐ１、（Ｐｓ／Ｐｌ）ｐ２は単位時間（クロックＴ）当りの全マークの平均記録ＬＤパワーがｐ１、ｐ２（ｐ２＞ｐ１）であるときのＰｓとＰｌの比である。〕
２）  表面に案内溝を有する基板の表面上に、直接又は他の層を介して、熱分解温度が２００〜４００℃の色素材料からなる記録層を有し、記録層の上に直接又は他の層を介して反射層を有する光記録媒体に対し、前記基板の裏面側から記録光を照射することにより、記録層にマーク長変調した記録マークを形成する光記録方法であって、各マークと記録ＬＤパワーが下記の条件式を満足するようにして記録することを特徴とする光記録方法。
Ｌｓ≧Ｌｌ  かつ  （Ｌｓ／Ｌｌ）ｐ１≧（Ｌｓ／Ｌｌ）ｐ２
〔式中、Ｌｓは最短マークの最短信号クロック当りの記録ＬＤ発光時間（Ｔ）、Ｌｌは最長マークの最長信号クロック当りの記録ＬＤ発光時間（Ｔ）、（Ｌｓ／Ｌｌ）ｐ１、（Ｌｓ／Ｌｌ）ｐ２は単位時間（クロックＴ）当りの全マークの平均記録ＬＤパワーがｐ１、ｐ２（ｐ２＞ｐ１）であるときのＬｓとＬｌの比である。〕
３）  （Ｐｓ／Ｐｌ）ｐ２＞（Ｐｓ／Ｐｌ）ｐ１を満たす２種のＰｓ／Ｐｌ比率でテスト記録して、２種の最適記録平均ＬＤパワー、ｐｏｐｔｓ−ｐ１、ｐｏｐｔｓ−ｐ２を得た後、その中間値を設定し、該中間値以下のパワー範囲を（Ｐｓ／Ｐｌ）ｐ２条件、該中間値を越えるパワー範囲を（Ｐｓ／Ｐｌ）ｐ１条件で記録ＬＤ発光させることを特徴とする１）記載の光記録方法。
４）  （Ｌｓ／Ｌｌ）ｐ２＞（Ｌｓ／Ｌｌ）ｐ１を満たす２種のＬｓ／Ｌｌでテスト記録して、２種の最適記録平均ＬＤパワー、ｐｏｐｔｌ−ｐ１、ｐｏｐｔｌ−ｐ２を得た後、その中間値を設定し、該中間値以下のパワー範囲を（Ｌｓ／Ｌｌ）ｐ２条件、該中間値を越えるパワー範囲を（Ｌｓ／Ｌｌ）ｐ１条件で記録ＬＤ発光させることを特徴とする２）記載の光記録方法。
５）  異なる２種のＰｓ／Ｐｌの差が１〜５％の範囲内であることを特徴とする１）又は３）記載の光記録方法。
６）  異なる２種のＬｓ／Ｌｌの差が１〜５％の範囲内であることを特徴とする２）又は４）記載の光記録方法。
７）  色素材料が、シアニン化合物、アゾ化合物、テトラアザポルフィラジン化合物、フタロシアニン化合物から選ばれる少なくとも１種を含有することを特徴とする１）〜６）の何れかに記載の光記録方法。